Podtech/llm-jp-corpus-v4-ja_patent huggingface dataset:
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
受信された入力データ中の要素を分類するための深層人工ニューラルネットワークをバイアスするコンピュータによって実施される方法であって、
入力データの属性を決定することと、前記属性は、前記入力データのタイミング、前記入力データのロケーション、前記入力データ中に存在するオブジェクト、またはこれらの組合せのうちの少なくとも１つを備える、
前記決定された属性に少なくとも部分的に基づいて、要素が前記入力データ中に存在する増加された確率を有することを決定することと、
前記要素が前記入力データ中に存在する前記増加された確率を有することに少なくとも部分的に基づいて、前記要素に対する感度を増加させるように前記深層人工ニューラルネットワーク中のニューロンの活性化関数のバイアスを調節することと、前記バイアスが、前記深層人工ニューラルネットワークの重みを調節することなしに調節される、
前記活性化関数の前記調節されたバイアスに少なくとも部分的に基づいて前記深層人工ニューラルネットワークによる前記要素の調節された分類を出力することと
を備える、コンピュータによって実施される方法。
【請求項２】
前記バイアスのための調節の量を、定数、シナプス荷重の関数、またはターゲットクラスの提示に応答する活性化の関数として決定することをさらに備える、請求項１に記載のコンピュータによって実施される方法。
【請求項３】
前記バイアスを調節することが、前記バイアスをスケーリングすることを備える、請求項１に記載のコンピュータによって実施される方法。
【請求項４】
前記調節することのスケールは、前記入力データ中に存在する可能性が高いもの、および／または前記入力データ中に存在する可能性が低いもののアプリオリな知識に少なくとも部分的に基づく、請求項３に記載のコンピュータによって実施される方法。
【請求項５】
前記バイアスを前記調節することが前記深層人工ニューラルネットワークの内部レベルにおいて実施される、請求項１に記載のコンピュータによって実施される方法。
【請求項６】
受信可能な入力データ中の要素を分類するための深層人工ニューラルネットワークをバイアスするための装置であって、
入力データの属性を決定するための手段と、前記属性は、前記入力データのタイミング、前記入力データのロケーション、前記入力データ中に存在するオブジェクト、またはこれらの組合せのうちの少なくとも１つを備える、
前記決定された属性に少なくとも部分的に基づいて、要素が前記入力データ中に存在する増加された確率を有することを決定するための手段と、
前記要素が前記入力データ中に存在する前記増加された確率を有することに少なくとも部分的に基づいて、前記要素に対する感度を増加させるように前記深層人工ニューラルネットワーク中のニューロンの活性化関数のバイアスを調節するための手段と、前記バイアスが、前記深層人工ニューラルネットワークの重みを調節することなしに調節される、
前記活性化関数の前記調節されたバイアスに少なくとも部分的に基づいて前記深層人工ニューラルネットワークによる前記要素の調節された分類を出力するための手段と
を備える、装置。
【請求項７】
前記バイアスのための調節の量を、定数、シナプス荷重の関数、またはターゲットクラスの提示に応答する活性化の関数として決定するための手段をさらに備える、請求項６に記載の装置。
【請求項８】
前記バイアスを調節するための前記手段が、前記バイアスをスケーリングするための手段を備える、請求項６に記載の装置。
【請求項９】
前記調節することのスケールは、前記入力データ中に存在する可能性が高いもの、および／または前記入力データ中に存在する可能性が低いもののアプリオリな知識に少なくとも部分的に基づく、請求項８に記載の装置。
【請求項１０】
前記バイアスを調節するための前記手段が前記深層人工ニューラルネットワークの内部レベルにおいて実施される、請求項６に記載の装置。
【請求項１１】
受信された入力データ中の要素を分類するための深層人工ニューラルネットワークであって、
メモリユニットと、
前記メモリユニットに結合された少なくとも１つのプロセッサと
を備え、前記少なくとも１つのプロセッサは、
入力データの属性を決定することと、前記属性は、前記入力データのタイミング、前記入力データのロケーション、前記入力データ中に存在するオブジェクト、またはこれらの組合せのうちの少なくとも１つを備える、
前記決定された属性に少なくとも部分的に基づいて、要素が前記入力データ中に存在する増加された確率を有することを決定することと、
前記要素が前記入力データ中に存在する前記増加された確率を有することに少なくとも部分的に基づいて、前記要素に対する感度を増加させるように前記深層人工ニューラルネットワーク中のニューロンの活性化関数のバイアスを調節することと、前記バイアスが、前記深層人工ニューラルネットワークの重みを調節することなしに調節される、
前記活性化関数の前記調節されたバイアスに少なくとも部分的に基づいて前記深層人工ニューラルネットワークによる前記要素の調節された分類を出力することと
を行うように構成された、深層人工ニューラルネットワーク。
【請求項１２】
プログラムコードを記録した非一時的コンピュータ可読媒体であって、前記プログラムコードは、プロセッサによって実行され、
前記入力データの属性を決定するための手段と、前記属性は、前記入力データのタイミング、前記入力データのロケーション、前記入力データ中に存在するオブジェクト、またはこれらの組合せのうちの少なくとも１つを備える、
前記決定された属性に少なくとも部分的に基づいて、要素が前記入力データ中に存在する増加された確率を有することを決定するためのプログラムコードと、
前記要素が前記入力データ中に存在する前記増加された確率を有することに少なくとも部分的に基づいて、前記要素に対する感度を増加させるように前記深層人工ニューラルネットワーク中のニューロンの活性化関数のバイアスを調節するためのプログラムコードと、前記バイアスが、前記深層人工ニューラルネットワークの重みを調節することなしに調節される、
前記活性化関数の前記調節されたバイアスに少なくとも部分的に基づいて前記深層人工ニューラルネットワークによる前記要素の調節された分類を出力するためのプログラムコードと
を備える、非一時的コンピュータ可読媒体。
【請求項１３】
前記プログラムコードが、前記バイアスのための調節の量を、定数、シナプス荷重の関数、またはターゲットクラスの提示に応答する活性化の関数として決定するためのプログラムコードをさらに備える、請求項１２に記載のコンピュータ可読媒体。
【請求項１４】
前記バイアスを調節するための前記プログラムコードが、前記バイアスをスケーリングすることによって前記バイアスを調節するためのプログラムコードを備える、請求項１２に記載のコンピュータ可読媒体。
【請求項１５】
前記調節することのスケールは、前記入力データ中に存在する可能性が高いもの、および／または前記入力データ中に存在する可能性が低いもののアプリオリな知識に少なくとも部分的に基づく、請求項１４に記載のコンピュータ可読媒体。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
収容領域を有する内表面および/または外表面、前記収容領域上に配置した接着層および前記接着層上に配置した保護フィルムを含むタイヤであって、
前記接着層の組成物が、ジエンエラストマーブロックを含むブロック熱可塑性スチレン(TPS)エラストマーをベースとし、ここで前記ジエンエラストマーブロックは、該エラストマーブロックの単位全体に対して10%よりも多いジエン単位のモル含有量を含み；且つ  前記組成物が、１種以上のポリフェニレンエーテル(PPE)を含む、前記タイヤ。
【請求項２】
前記エラストマーブロックの単位全体に対する、前記接着層の組成物のエラストマーブロックのジエン単位のモル含有量が、50%よりも多い、請求項１記載のタイヤ。
【請求項３】
前記エラストマーブロックのジエンが、C4〜C12共役ジエンから選ばれる、請求項１又は２記載のタイヤ。
【請求項４】
前記エラストマーブロックが、１種以上の共役ジエンが互いに共重合することによって、或いは、１種以上の共役ジエンが8〜20個の炭素原子を有する１種以上のビニル芳香族化合物と共重合することによって得られたコポリマーである、請求項１〜３のいずれか１項記載のタイヤ。
【請求項５】
前記エラストマーブロックのジエンが、ブタジエン、イソプレンおよびこれらの混合物からなる群から選ばれる、請求項１〜４のいずれか１項記載のタイヤ。
【請求項６】
前記エラストマーブロックが、イソプレンをベースとする、請求項１〜５のいずれか１項記載のタイヤ。
【請求項７】
前記ポリフェニレンエーテルが、150℃よりも高い、好ましくは180℃よりも高いガラス転移温度を有する、請求項１〜６のいずれか１項記載のタイヤ。
【請求項８】
前記ポリフェニレンエーテルが、ポリ(2,6−ジメチル−1,4−フェニレンエーテル)、ポリ(2,6−ジメチル−co−2,3,6−トリメチル−1,4−フェニレンエーテル)、ポリ(2,3,6−トリメチル−1,4−フェニレンエーテル)、ポリ(2,6−ジエチル−1,4−フェニレンエーテル)、ポリ(2−メチル−6−エチル−1,4−フェニレンエーテル)、ポリ(2−メチル−6−プロピル−1,4−フェニレンエーテル)、ポリ(2,6−ジプロピル−1,4−フェニレンエーテル)、ポリ(2−エチル−6−プロピル−1,4−フェニレンエーテル)、ポリ(2,6−ジラウリル−1,4−フェニレンエーテル)、ポリ(2,6−ジフェニル−1,4−フェニレンエーテル)、ポリ(2,6−ジメトキシ−1,4−フェニレンエーテル)、ポリ(1,6−ジエトキシ−1,4−フェニレンエーテル)、ポリ(2−メトキシ−6−エトキシ−1,4−フェニレンエーテル)、ポリ(2−エチル−6−ステアリルオキシ−1,4−フェニレンエーテル)、ポリ(2,6−ジクロロ−1,4−フェニレンエーテル)、ポリ(2−メチル−6−フェニル−1,4−フェニレンエーテル)、ポリ(2−エトキシ−1,4−フェニレンエーテル)、ポリ(2−クロロ−1,4−フェニレンエーテル)、ポリ(2,6−ジブロモ−1,4−フェニレンエーテル)、ポリ(3−ブロモ−2,6−ジメチル−1,4−フェニレンエーテル)、これらそれぞれのコポリマー、およびこれらのホモポリマーまたはコポリマーの混合物からなる群から選ばれる、請求項７記載のタイヤ。
【請求項９】
前記ポリフェニレンエーテルが、ポリ(2,6−ジメチル−1,4−フェニレンエーテル)である、請求項８記載のタイヤ。
【請求項１０】
前記保護フィルムが、前記接着層から前記フィルムを剥離する力が20℃において1N/mm未満、好ましくは0.5N/mm未満であるように選択した熱可塑性フィルムである、請求項１〜９のいずれか１項記載のタイヤ。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
胎児又は小児の鉄欠乏症の治療又は予防のための方法における使用のための、鉄炭水化物複合体を含む薬学的組成物であって、
鉄炭水化物複合体が胎児又は小児の母親に投与される、薬学的組成物。
【請求項２】
鉄欠乏症が脳内鉄欠乏症である、請求項１に記載の薬学的組成物。
【請求項３】
鉄炭水化物複合体が胎児又は小児の母親に非経口投与される、請求項１又は２に記載の薬学的組成物。
【請求項４】
鉄炭水化物複合体の薬物動態学的半減期（ｔ１／２）が１０時間以上又は１２時間以上、例えば１４時間、１６時間、１８時間、２０時間、又は２２時間以上である、請求項１から５のいずれか一項に記載の薬学的組成物。
【請求項５】
母親に投与される鉄炭水化物複合体由来の元素鉄の総用量が、３００ｍｇ以上の元素鉄又は４００ｍｇ以上の元素鉄、例えば５００ｍｇ、６００ｍｇ、７００ｍｇ、８００ｍｇ、９００ｍｇ、又は１０００ｍｇ以上の元素鉄である、請求項１から４のいずれか一項に記載の薬学的組成物。
【請求項６】
鉄炭水化物複合体が、鉄カルボキシマルトース、鉄ポリグルコースソルビトールカルボキシメチルエーテル複合体、鉄デキストラン、鉄水素化デキストラン、鉄グルコ−オリゴ糖、鉄還元グルコ−オリゴ糖、鉄酸化グルコ−オリゴ糖、鉄カルボキシアルキル化還元オリゴ糖類及び多糖類、鉄デキストリン、鉄水素化デキストリン、鉄ポリマルトース、鉄水素化ポリマルトース、鉄ポリイソマルトース、鉄水素化ポリイソマルトース、鉄酸化デキストリン、鉄酸化デキストラン、鉄水酸化アジピン酸酒石酸塩、鉄プルラン、鉄水素化プルラン、鉄酸素化プルラン、又はこれらの混合物を含む群より選択される、請求項１から５のいずれか一項に記載の薬学的組成物。
【請求項７】
鉄還元グルコ−オリゴ糖が鉄水素化オリゴイソマルトシドである、請求項１から６のいずれか一項に記載の薬学的組成物。
【請求項８】
鉄炭水化物複合体が、鉄デキストラン、鉄水素化デキストラン、鉄水素化ポリイソマルトース、鉄酸化デキストリン、又は鉄酸化デキストランである、請求項１から７のいずれか一項に記載の薬学的組成物。
【請求項９】
鉄炭水化物複合体が、α−１，６グリコシド結合により結合したグルコース単位の骨格、及び任意選択的にα−１，３グリコシド結合により骨格に結合したグルコース単位の分枝を含む炭水化物成分を有する鉄水素化デキストランであり、α−１，３グリコシド結合とα−１，６グリコシド結合との比率が、５：１００未満、例えば１：１００未満である、請求項１から８のいずれか一項に記載の薬学的組成物。
【請求項１０】
炭水化物成分が、α−１，３グリコシド結合により骨格に結合したグルコース単位の分枝を検出可能に含まない、請求項７から９のいずれか一項に記載の薬学的組成物。
【請求項１１】
鉄炭水化物複合体が（１→６）−α−Ｄ−グルコピラナン−（１→６）−Ｄ−グルシトール鉄（ＩＩＩ）複合体である、請求項９又は１０に記載の薬学的組成物。
【請求項１２】
鉄炭水化物複合体の炭水化物成分の重量平均分子量（ＭＷ）が、８００から４０，０００ダルトン、例えば８００から１０，０００、好ましくは８００から２，０００ダルトンである、請求項１から１１のいずれか一項に記載の薬学的組成物。
【請求項１３】
デキストラン標準に対して測定される鉄炭水化物複合体の見かけの分子量が、４００．０００ダルトン以下、例えば３００．０００ダルトン以下、好ましくは２００．０００ダルトン以下である、請求項１から１２のいずれか一項に記載の薬学的組成物。
【請求項１４】
任意選択的に適切に希釈された後での、非経口的注射又は点滴に適切な液体製剤である、請求項１から１３のいずれか一項に記載の薬学的組成物。
【請求項１５】
３〜３０分、例えば５から２５分、好ましくは１０〜２０分にわたって母親に注入される、請求項１から１４のいずれか一項に記載の薬学的組成物。
【請求項１６】
１６から３０分にわたって母親に注入される、請求項１から１５のいずれか一項に記載の薬学的組成物。
【請求項１７】
鉄炭水化物複合体が、受胎前一ヶ月以内の母親に投与される、請求項１から１６のいずれか一項に記載の薬学的組成物。
【請求項１８】
鉄炭水化物複合体が、妊娠第２三半期又は第３三半期の母親に投与される、請求項１から１７のいずれか一項に記載の薬学的組成物。
【請求項１９】
母親が、妊娠中又は授乳期間中に鉄炭水化物複合体のさらなる投与を受ける、請求項１から１８のいずれか一項に記載の薬学的組成物。
【請求項２０】
さらなる投与が、前回投与から１週間から１２ヶ月後に実施される、請求項１から１９のいずれか一項に記載の薬学的組成物。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
裏張り層、接着剤−薬物層、任意の乱用抑止層、及び剥離ライナーを含み、前記接着剤−薬物層は、１０−２５重量％のケタミン及び感圧接着剤を含む、経皮送達デバイス。
【請求項２】
皮膚浸透促進剤、及び結晶化防止剤をさらに含む、請求項１に記載の経皮送達デバイス。
【請求項３】
約４０−６０重量パーセントの感圧接着剤、約１−１０重量パーセントの皮膚浸透促進剤、及び約５−４０重量パーセントの結晶化防止剤を含む、請求項２に記載の経皮送達デバイス。
【請求項４】
約０．０１−１０重量パーセントの乱用抑止剤をさらに含む、請求項１に記載の経皮送達デバイス。
【請求項５】
前記乱用抑止剤が、カプサイシン、アポモルヒネ、デナトニウム、ラウリル硫酸ナトリウム、ゲル形成剤、及びこれらの組み合わせから選択される、請求項４に記載の経皮送達デバイス。
【請求項６】
前記経皮送達デバイスが、大うつ病性障害を治療するために、１日１回、１週間に２回、又は１週間に１回投与される、請求項１に記載の経皮送達デバイス。
【請求項７】
前記経皮送達デバイスの投与は、大うつ病性障害を治療するために、約８−１６８時間にわたって、約１０−２００ｎｇ／ｍｌのケタミン血漿中濃度を提供する、請求項１に記載の経皮送達デバイス。
【請求項８】
前記経皮送達デバイスの投与は、痛みを治療するために、約８−１６８時間にわたって、約５０−１０００ｎｇ／ｍｌのケタミン血漿中濃度を提供する、請求項１に記載の経皮送達デバイス。
【請求項９】
約１日間、約３．５日間、又は約７日間、約０．１−５ｍｇ／日／ｃｍ２のケタミンを提供する、請求項１に記載の経皮送達デバイス。
【請求項１０】
前記デバイスは約１０−３００ｃｍ２、約１００−３００ｃｍ２、又は約１０−１００ｃｍ２である、請求項１に記載の経皮送達デバイス。
【請求項１１】
前記経皮送達デバイスが、ケタミンの即時放出投与と比較して低減されたＣｍａｘを提供する、請求項１に記載の経皮送達デバイス。
【請求項１２】
約０．４−４０００ｎｇ／ｍｌのケタミン血漿中濃度を約８−１６８時間提供する、請求項１に記載の経皮送達デバイス。
【請求項１３】
１００ｎｇ／ｍｌ未満のケタミン血漿中濃度を約８時間から約７日間提供し、即時放出ケタミン製剤からの血漿中濃度と比較してケタミンの有害な副作用を低減する、請求項１２に記載の経皮送達デバイス。
【請求項１４】
即時放出ケタミン製剤からの血漿中濃度と比較して低減された経時的血漿中変動を提供する、請求項１２に記載の経皮送達デバイス。
【請求項１５】
即時放出製剤からのケタミン血漿中濃度と比較して、
（ａ）低減されたＣｍａｘ変動と、
（ｂ）低減された血漿中濃度の変動と、
（ｃ）低減された有害な副作用と、
を提供する、請求項１に記載の経皮送達デバイス。
【請求項１６】
Ｃｍａｘが、等価投薬量の即時放出ケタミン製剤からのＣｍａｘの約３０％以下である、請求項１に記載の経皮送達デバイス。
【請求項１７】
前記ケタミンが、ラセミ、Ｒ−エナンチオマー又はＳ−異性体である、請求項１に記載の経皮送達デバイス。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
以下の工程を含む、化合物（Ｉａ）の製造方法：
（１）化合物１ａ：
【化１】
2018518486.tif 000001
をアニリン及び酸と反応させ、化合物１１ａ：
【化２】
2018518486.tif 000002
［式中、
Ｘはフッ素、塩素、臭素及びヨウ素から選択され；
Ｚは−ＣＮ及び−ＣＯ２Ｒから成る群から選択され；及び
ＲはＣ１−Ｃ６アルキルである］
を形成する工程；
（２）化合物１１ａを元素銅の存在下でヨードベンゼンと反応させ、化合物３ａ：
【化３】
2018518486.tif 000003
を得る工程；
（３）化合物３ａを水と反応させ、化合物４ａ：
【化４】
2018518486.tif 000004
を得る工程；
（４）化合物４ａをヒドロキシベンゾトリアゾールの存在下でアルキルアミンと反応させ、化合物５ａ：
【化５】
2018518486.tif 000005
［式中、
Ｒ’はＣ１−Ｃ６アルキルである］
を得る工程；並びに
（５）化合物５ａをアルコキシド塩基と反応させ、化合物（Ｉａ）：
【化６】
2018518486.tif 000006
またはその塩を得る工程。
【請求項２】
ＺがＣＯ２Ｅｔである、請求項１に記載の方法。
【請求項３】
Ｒ’がメチルである、請求項１に記載の方法。
【請求項４】
化合物１１ａを得る工程が、化合物１ａ：
【化７】
2018518486.tif 000007
をアニリン及び酸と反応させ、その後塩基によって脱プロトン化して、化合物１１ａ：
【化８】
2018518486.tif 000008
を形成する工程をさらに含む、請求項１に記載の方法。
【請求項５】
化合物３ａを得る工程が、化合物１１ａ：
【化９】
2018518486.tif 000009
を元素銅及び塩基の存在下でヨードベンゼンと反応させ、化合物３ａ：
【化１０】
2018518486.tif 000010
を得る工程をさらに含む、請求項１に記載の方法。
【請求項６】
化合物４ａを得る工程が、化合物３ａ：
【化１１】
2018518486.tif 000011
を水と反応させ、その後酸と反応させ、化合物４ａ：
【化１２】
2018518486.tif 000012
を得る工程をさらに含む、請求項１に記載の方法。
【請求項７】
化合物５ａを得る工程が、化合物４ａ：
【化１３】
2018518486.tif 000013
をヒドロキシベンゾトリアゾール及び１−エチル−３−（３−ジメチルアミノプロピル）カルボジイミドの存在下でアルキルアミンと反応させ、化合物５ａ：
【化１４】
2018518486.tif 000014
を得る工程をさらに含む、請求項１に記載の方法。
【請求項８】
化合物（Ｉａ）を得る工程が、化合物５ａ：
【化１５】
2018518486.tif 000015
をヒドロキシルアミン塩酸塩の存在下でアルコキシド塩基と反応させ、化合物（Ｉａ）：
【化１６】
2018518486.tif 000016
またはその塩を得る工程をさらに含む、請求項１に記載の方法。
【請求項９】
以下の工程を含む、化合物（Ｉ）の製造方法：
（１）化合物１ｂ：
【化１７】
2018518486.tif 000017
を２−クロロアニリン及び酸と反応させ、化合物１１ｂ：
【化１８】
2018518486.tif 000018
［式中、
Ｚは−ＣＮ及び−ＣＯ２Ｒから成る群から選択され；及び
ＲはＣ１−Ｃ６アルキルである］
を形成する工程；
（２）化合物１１ｂを元素銅の存在下でヨードベンゼンと反応させ、化合物３ｂ：
【化１９】
2018518486.tif 000019
を得る工程；
（３）化合物３ｂを水と反応させ、化合物４：
【化２０】
2018518486.tif 000020
を得る工程；
（４）化合物４をヒドロキシベンゾトリアゾールの存在下でアルキルアミンと反応させ、化合物５ｂ：
【化２１】
2018518486.tif 000021
［式中、
Ｒ’はＣ１−Ｃ６アルキルである］
を得る工程；並びに
（５）化合物５ｂをアルコキシド塩基と反応させ、化合物（Ｉ）：
【化２２】
2018518486.tif 000022
またはその塩を得る工程。
【請求項１０】
ＺがＣＯ２Ｅｔである、請求項９に記載の方法。
【請求項１１】
Ｒ’がメチルである、請求項９に記載の方法。
【請求項１２】
化合物１１ｂを得る工程が、化合物１ｂ：
【化２３】
2018518486.tif 000023
を２−クロロアニリン及び酸と反応させ、その後塩基によって脱プロトン化して、化合物１１ｂ：
【化２４】
2018518486.tif 000024
を形成する工程をさらに含む、請求項９に記載の方法。
【請求項１３】
化合物３ｂを得る工程が、化合物１１ｂ：
【化２５】
2018518486.tif 000025
を元素銅及び塩基の存在下でヨードベンゼンと反応させ、化合物３ｂ：
【化２６】
2018518486.tif 000026
を得る工程をさらに含む、請求項９に記載の方法。
【請求項１４】
化合物４を得る工程が、化合物３ｂ：
【化２７】
2018518486.tif 000027
を水と反応させ、その後酸と反応させ、化合物４：
【化２８】
2018518486.tif 000028
を得る工程をさらに含む、請求項９に記載の方法。
【請求項１５】
化合物５ｂを得る工程が、化合物４：
【化２９】
2018518486.tif 000029
をヒドロキシベンゾトリアゾール及び１−エチル−３−（３−ジメチルアミノプロピル）カルボジイミドの存在下でアルキルアミンと反応させ、化合物５ｂ：
【化３０】
2018518486.tif 000030
を得る工程をさらに含む、請求項９に記載の方法。
【請求項１６】
化合物（Ｉ）を得る工程が、化合物５ｂ：
【化３１】
2018518486.tif 000031
をヒドロキシルアミン塩酸塩の存在下でアルコキシド塩基と反応させ、化合物（Ｉ）：
【化３２】
2018518486.tif 000032
またはその塩を得る工程をさらに含む、請求項９に記載の方法。
【請求項１７】
以下の工程を含む、化合物（Ｉ）の製造方法：
（１）２−クロロピリミジン−５−カルボン酸エチルをアルコール溶媒の存在下で２−クロロアニリンと反応させ、化合物１１
【化３３】
2018518486.tif 000033
を得る工程：
（２）化合物１１を元素銅の存在下でヨードベンゼンと反応させ化合物３
【化３４】
2018518486.tif 000034
を得る工程：
（３）化合物３を水と反応させ、その後酸と反応させ、化合物４
【化３５】
2018518486.tif 000035
を得る工程：
（４）化合物４をヒドロキシベンゾトリアゾール及び１−エチル−３−（３−ジメチルアミノプロピル）カルボジイミドの存在下で７−アミノヘプタン酸メチルと反応させ、化合物５：
【化３６】
2018518486.tif 000036
を得る工程；
（５）化合物５をアルコール溶媒の存在下でヒドロキシルアミンまたはその塩及びアルコキシド塩基と反応させ、化合物（Ｉ）：
【化３７】
2018518486.tif 000037
またはその塩を得る工程。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
式(III)の化合物を調製する方法であって、
【化１】
2018518467.tif 000001
(i)式(I)の化合物
【化２】
2018518467.tif 000002
であって、その50%超が式(Ia)の化合物
【化３】
2018518467.tif 000003
として存在する式(I)の化合物を、スズ含有モレキュラーシーブを含む触媒の存在下に過酸化水素で酸化して、式(II)の化合物
【化４】
2018518467.tif 000004
及び場合により式(III)の化合物を含む反応混合物を得る工程
を含む、上記方法。
【請求項２】
(i)において、式(I)の化合物の少なくとも95%が式(Ia)の化合物として存在する、請求項1に記載の方法。
【請求項３】
(i)において、スズ含有モレキュラーシーブがスズ含有ゼオライト材料であり、スズ含有ゼオライト材料の骨格構造型が好ましくはBEA、MWW、MFI、それらの2つ以上の混合物、及びそれらの2つ以上の混合型の群から選択され、より好ましくは構造型BEAを含む、請求項1又は2に記載の方法。
【請求項４】
スズ含有モレキュラーシーブのスズ含有量が、スズ含有モレキュラーシーブの全重量に対して0.1〜20重量%の範囲、好ましくは2〜14重量%の範囲である、請求項1から3のいずれか一項に記載の方法。
【請求項５】
(i)において、過酸化水素が、水溶液の全重量に対して25〜85重量%の範囲、好ましくは65〜75重量%の範囲の過酸化水素を含有する水溶液として使用される、請求項1から4のいずれか一項に記載の方法。
【請求項６】
(i)における酸化の初めに、式(I)の化合物対過酸化水素のモル比が10:1〜1:1の範囲、好ましくは5:1〜1:1の範囲、より好ましくは3:1〜1:1の範囲である、請求項1から5のいずれか一項に記載の方法。
【請求項７】
(i)における酸化が、溶媒中、好ましくは有機溶媒中、好ましくはアルコール、エステル、エーテル、場合により適切に置換されたアルカン、及びニトリルの1つ以上を含む有機溶媒中で実施される、請求項1から6のいずれか一項に記載の方法。
【請求項８】
溶媒が、1つ以上のアルコールを含み、好ましくはtert-ブタノール、2-メチル-2-ブタノール、n-ペンタノール、3-メチル-1-ブタノール、n-ヘキサノール、2-メチル-1-ペンタノール、3-ヘプタノール、2-エチル-1-ヘキサノール、2-オクタノール、1-オクタノール、2,4,4-トリメチル-1-ヘキサノール、2,6-ジメチル-4-ヘプタノール、2-プロピル-1-ヘプタノール、及び2-プロピル-5-メチル-1-ヘキサノールの1つ以上を含み、より好ましくは2-エチル-1-ヘキサノール及び3-ヘプタノールの1つ以上を含むアルコールを含む、又は1つ以上のエーテル、好ましくはメチルtert-ブチルエーテルを含む、請求項7に記載の方法。
【請求項９】
(i)における酸化の初めに、式(I)の化合物対溶媒の重量比が、1:10〜1:2の範囲、好ましくは1:5〜1:2の範囲、より好ましくは1:4〜1:2の範囲である、請求項7又は8に記載の方法。
【請求項１０】
(i)における酸化が、30〜90℃の範囲、好ましくは40〜80℃の範囲、より好ましくは50〜60℃の範囲の反応混合物の温度で実施される、請求項1から9のいずれか一項に記載の方法。
【請求項１１】
(ii)好ましくは、(i)から得られた混合物から、スズ含有モレキュラーシーブを含む触媒を分離する工程、
(iii)式(II)の化合物を加水分解して、式(III)の化合物を含有する混合物を得る工程、及び
(iv)好ましくは、(iii)から得られた混合物から式(III)の化合物を分離する工程
をさらに含む、請求項1から10のいずれか一項に記載の方法。
【請求項１２】
(iii)において、加水分解が、(i)における酸化から得られた、好ましくは(ii)における分離によって得られた反応混合物に塩基水溶液を添加して、式(III)の化合物を含有する有機相及び水相を得ることによって実施され、(iv)において、(iii)から得られた混合物から式(III)の化合物を分離することが、有機相を水相から分離することを含み、式(III)の化合物が有機相から分離される、請求項11に記載の方法。
【請求項１３】
請求項1から10のいずれか一項に記載の方法で得ることができる又は得られる混合物。
【請求項１４】
式(I)の化合物
【化５】
2018518467.tif 000005
及びスズ含有モレキュラーシーブを含む触媒を含む混合物であって、
式(I)の化合物の50%超は式(Ia)の化合物として存在し、
【化６】
2018518467.tif 000006
混合物が好ましくは溶媒をさらに含む、上記混合物。
【請求項１５】
式(I)の化合物
【化７】
2018518467.tif 000007
であって、その50%超が式(Ia)の化合物
【化８】
2018518467.tif 000008
として存在する式(I)の化合物の使用、又は請求項14に記載の混合物の使用であって、式(III)の化合物
【化９】
2018518467.tif 000009
を調製するための式(I)の化合物のバイヤー・ビリガー酸化を、その最大で50%が式(Ia)の化合物として存在する式(I)の化合物の、その他の点では同一の酸化条件の各バイヤー・ビリガー酸化と比較して、選択性を高め、かつ/又は反応時間を減少させるための使用。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
パッケージアセンブリ（１）を製造する方法であって、
補助パッケージ（４１）を二次パッケージ（３）に取り付けるステップを備え、前記二次パッケージ（３）が一次パッケージ（２）に取り付けられた場合に、前記補助パッケージ（４１）が前記二次パッケージ（３）と前記一次パッケージ（２）との間に形成された空間内に配置され、
前記補助パッケージ（４１）を前記二次パッケージ（３）に取り付けるステップは、前記補助パッケージ（４１）の第１の部分を前記二次パッケージ（３）の取り外し可能な部分（５０）に取り付けるステップを備え、
前記取り外し可能な部分（５０）と異なる前記二次パッケージ（３）の一部又は前記一次パッケージ（２）の一部に前記補助パッケージ（４１）の第２の部分を取り付けるステップをさらに備える、
パッケージアセンブリ（１）を製造する方法。
【請求項２】
前記一次パッケージ（２）は、製品を含むように適合されており、前記補助パッケージ（４１）は、前記製品に関連したアイテム（４）を含むように適合される、請求項１に記載の方法。
【請求項３】
前記二次パッケージ（３）を前記一次パッケージ（２）に取り付けるステップをさらに備える、請求項１又は２に記載の方法。
【請求項４】
パッケージアセンブリ（１）であって、
アイテム（４）を含むように適合された補助パッケージ（４１）と、
一次パッケージ（２）に取り付けられるように適合された二次パッケージ（３）と、
を備え、前記補助パッケージ（４１）は、前記二次パッケージ（３）に取り付けられ、それによって、前記補助パッケージ（４１）は、前記二次パッケージ（３）が前記一次パッケージ（２）に取り付けられた場合に、前記二次パッケージ（３）と前記一次パッケージ（２）との間に形成された空間内に配置され、
弱化線（６４）によって分離された、前記二次パッケージ（３）に取り外し可能な部分（５０）をさらに備え、
前記補助パッケージ（４１）は、前記取り外し可能な部分（５０）に取り付けられる、
パッケージアセンブリ（１）。
【請求項５】
前記一次パッケージ（２）をさらに備える、請求項４に記載のパッケージアセンブリ（１）。
【請求項６】
前記一次パッケージ（２）は製品を含むように適合され、
前記補助パッケージ（４１）は前記製品に関連したアイテム（４）を含むように適合される、請求項５に記載のパッケージアセンブリ（１）。
【請求項７】
二次パッケージ（３）に成形されるべきブランク（３）であって、
トップパネル（３１）と、メインパネル（６５）と、取り外し可能な部分（５０）と、を備え、
前記メインパネル（６５）は、複数のメイン部分（３ａ、３ｂ、３ｃ）を形成するように長手方向における第１の弱化線（６１）によって分離され、前記複数のメイン部分（３ａ、３ｂ、３ｃ）のそれぞれは、アイテム（４）を収容する補助パッケージを受容するように適合され、
前記取り外し可能な部分（５０）は、前記トップパネル（３１）及び前記メイン部分（３ａ、３ｂ、３ｃ）の両方において延在しており、前記取り外し可能な部分（５０）は、第２の弱化線（６４）によって前記メイン部分（３ａ、３ｂ、３ｃ）から分離される、
ブランク（３）。
【請求項８】
前記第１の弱化線（６１）は、ミシン目部分（ＰＰ）を備える、請求項７に記載のブランク（３）。
【請求項９】
前記ミシン目部分（ＰＰ）は、複数の細かさで穿孔される、請求項８に記載のブランク（３）。
【請求項１０】
前記第１の弱化線（６１）は、カットスルー部分（ＣＰ）を備える、請求項７又は８に記載のブランク（３）。
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
がん細胞を殺傷するための組成物であって、該組成物は、放射性標識抗体を含み、該放射性標識抗体は、ラジオアイソトープにコンジュゲートした抗体であり、該抗体は、ヒトアスパルチル（アスパラギニル）β−ヒドロキシラーゼ（ＨＡＡＨ）に結合し、該放射性標識抗体は、がん細胞と接触することにより、該がん細胞を殺傷することを特徴とする、組成物。
【請求項２】
前記ラジオアイソトープが２１３Ｂｉ、９０Ｙおよび１１１Ｉｎからなる群から選択される、請求項１に記載の組成物。
【請求項３】
前記がん細胞が白血病細胞である、請求項１に記載の組成物。
【請求項４】
前記ラジオアイソトープが２１３Ｂｉである、請求項３に記載の組成物。
【請求項５】
ＨＡＡＨに結合する前記抗体がＰＡＮ−６２２である、請求項４に記載の組成物。
【請求項６】
哺乳動物におけるがん組織を処置するための組成物であって、
該組成物は、放射性標識抗体を含み、該放射性標識抗体は、ラジオアイソトープにコンジュゲートした抗体であり、該抗体は、ヒトアスパルチル（アスパラギニル）β−ヒドロキシラーゼ（ＨＡＡＨ）に結合し、該放射性標識抗体は、該哺乳動物のがん組織と接触させられることを特徴とする、組成物。
【請求項７】
前記ラジオアイソトープが２１３Ｂｉである、請求項６に記載の組成物。
【請求項８】
前記ラジオアイソトープが１１１Ｉｎである、請求項６に記載の組成物。
【請求項９】
前記ラジオアイソトープが９０Ｙである、請求項６に記載の組成物。
【請求項１０】
ＨＡＡＨに結合する前記抗体がＰＡＮ−６２２である、請求項８に記載の組成物。
【請求項１１】
ＨＡＡＨに結合する前記抗体がＰＡＮ−６２２である、請求項９に記載の組成物。
【請求項１２】
キレート剤、ラジオアイソトープ、および完全ヒト抗ＨＡＡＨ抗体を含むラジオイムノコンジュゲート。
【請求項１３】
前記ラジオアイソトープが２１３Ｂｉである、請求項１２に記載のラジオイムノコンジュゲート。
【請求項１４】
前記ラジオアイソトープが１１１Ｉｎである、請求項１２に記載のラジオイムノコンジュゲート。
【請求項１５】
前記ラジオアイソトープが９０Ｙである、請求項１２に記載のラジオイムノコンジュゲート。
【請求項１６】
前記完全ヒト抗ＨＡＡＨ抗体がＰＡＮ−６２２である、請求項１２に記載のラジオイムノコンジュゲート。
【手続補正２】
【補正対象書類名】明細書
【補正対象項目名】００１８
【補正方法】変更
【補正の内容】
【００１８】
本発明のさらなる実施形態は、哺乳動物における腫瘍を放射線イメージングする方法であって、前記哺乳動物の組織を、ＨＡＡＨに結合する放射性標識抗体と接触させること、次いで、得られた組織−抗体−放射性標識を、イメージング装置および関連するソフトウェア（例えば、単光子放出コンピュータ断層撮影法（ＳＰＥＣＴ）または陽電子放出断層撮影法（ＰＥＴ））を用いて可視化することを含む、方法を企図する。
特定の実施形態では、例えば、以下が提供される：
（項目１）
がん細胞を殺傷するための方法であって、
ヒトアスパルチル（アスパラギニル）β−ヒドロキシラーゼ（ＨＡＡＨ）に結合する抗体にラジオアイソトープをコンジュゲートさせて放射性標識抗体を形成すること、および
がん細胞をＨＡＡＨに結合する該放射性標識抗体と接触させることにより、該がん細胞を殺傷すること
を包含する、方法。
（項目２）
前記ラジオアイソトープが２１３Ｂｉ、９０Ｙおよび１１１Ｉｎからなる群から選択される、項目１に記載の方法。
（項目３）
前記がん細胞が白血病細胞である、項目１に記載の方法。
（項目４）
前記ラジオアイソトープが２１３Ｂｉである、項目３に記載の方法。
（項目５）
ＨＡＡＨに結合する前記抗体がＰＡＮ−６２２である、項目４に記載の方法。
（項目６）
哺乳動物におけるがん組織を処置するための方法であって、
ヒトアスパルチル（アスパラギニル）β−ヒドロキシラーゼ（ＨＡＡＨ）に結合する抗体にラジオアイソトープをコンジュゲートさせて放射性標識抗体を形成すること、および
該哺乳動物のがん組織を、ＨＡＡＨに結合する該放射性標識抗体と接触させること
を包含する、方法。
（項目７）
前記ラジオアイソトープが２１３Ｂｉである、項目６に記載の方法。
（項目８）
前記ラジオアイソトープが１１１Ｉｎである、項目６に記載の方法。
（項目９）
前記ラジオアイソトープが９０Ｙである、項目６に記載の方法。
（項目１０）
ＨＡＡＨに結合する前記抗体がＰＡＮ−６２２である、項目８に記載の方法。
（項目１１）
ＨＡＡＨに結合する前記抗体がＰＡＮ−６２２である、項目９に記載の方法。
（項目１２）
キレート剤、ラジオアイソトープ、および完全ヒト抗ＨＡＡＨ抗体を含むラジオイムノコンジュゲート。
（項目１３）
前記ラジオアイソトープが２１３Ｂｉである、項目１２に記載のラジオイムノコンジュゲート。
（項目１４）
前記ラジオアイソトープが１１１Ｉｎである、項目１２に記載のラジオイムノコンジュゲート。
（項目１５）
前記ラジオアイソトープが９０Ｙである、項目１２に記載の方法。
（項目１６）
前記完全ヒト抗ＨＡＡＨ抗体がＰＡＮ−６２２である、項目１２に記載のラジオイムノコンジュゲート。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
Ｂｉｘａ  Ｏｒｅｌｌａｎａ種子からの抽出物の精製で得られるノルビキシンを含む組成物を哺乳動物に、１日あたり、０．４８ｍｇ／ｋｇ（体重）〜４８ｍｇ／ｋｇ（体重）の量で投与することを含む、哺乳動物において網膜色素上皮（ＲＰＥ）の細胞を光保護する方法。
【請求項２】
前記組成物は９５重量％を超えるノルビキシンを含む、請求項１に記載の方法。
【請求項３】
前記組成物は、９０重量％を超える式（Ｉ）：
【化１】
2018518460.tif 000001
のその９’−シス型のノルビキシンを含む、請求項１に記載の方法。
【請求項４】
前記組成物は、亜鉛、ビタミンＣ及びビタミンＥから選択される少なくとも１種の要素を含む、請求項１に記載の方法。
【請求項５】
前記組成物は栄養補助食品又は薬物の形態である、請求項１に記載の方法。
【請求項６】
前記組成物は、経口摂取、眼内注射、全身注射又は血中への注入が許容可能な担体を含む、請求項１に記載の方法。
【請求項７】
前記組成物は、可視光スペクトルの青色バンドに対応し、４３５ｎｍ〜４９０ｎｍの波長を有する青色放射線への曝露により引き起こされる網膜への損傷を防止するために投与される、請求項１に記載の方法。
【請求項８】
前記組成物は、哺乳動物において加齢黄斑変性（ＡＲＭＤ）を治療するために投与される、請求項１に記載の方法。
【請求項９】
前記組成物は、哺乳動物においてシュタルガルト病及び網膜色素変性症の少なくとも一方を治療するために投与される、請求項１に記載の方法。
【請求項１０】
９０重量％を超える式（Ｉ）：
【化２】
2018518460.tif 000002
のその９’−シス型のノルビキシンを含む、請求項２に記載の方法。
【請求項１１】
前記哺乳動物への前記組成物の投与量は、１日あたり、０．６ｍｇ／ｋｇ（体重）〜２０ｍｇ／ｋｇ（体重）である、請求項１に記載の方法。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
植物源材料から形成された複数の圧縮タブレットをパッケージングしているディスク・カートリッジを受け入れるように適合されているカルーセル・ホルダと、
マイクロプロセッサと、
制御されている空気流と、
制御されている熱源と
を備える気化器装置において、
前記マイクロプロセッサは、
前記パッケージ上の１つ以上の機械識別可能コードに基づいて、前記カルーセル・ホルダ内に配置されている前記圧縮タブレットのタイプを認識するように、
前記制御されている熱源により加熱すべく、前記ディスク・カートリッジ内にパッケージングされている前記複数の圧縮タブレットのうちの１つの圧縮タブレットを準備するように、および、
圧縮タブレットの認識された前記タイプに基づいて、前記空気流と、前記熱源と、前記カルーセルの動作とを制御して、前記ディスク・カートリッジ内の前記圧縮タブレットを所望の速度で気化させるように適合される、
気化器装置。
【請求項２】
前記気化器装置は、１つ以上の顕著な特徴に基づいて、前記ホルダ内に配置されている圧縮タブレットのタイプを認識するように適合される、請求項１に記載の気化器装置。
【請求項３】
前記気化器装置は、前記圧縮タブレットの形状に基づいて、前記ホルダ内に配置されている圧縮タブレットの前記タイプを認識するように適合される、請求項２に記載の気化器装置。
【請求項４】
前記気化器装置は、前記圧縮タブレット内に形成されている特徴のパターンに基づいて、前記ホルダ内に配置されている圧縮タブレットの前記タイプを認識するように適合される、請求項２に記載の気化器装置。
【請求項５】
前記圧縮タブレット内に形成されている前記特徴の前記パターンは、前記圧縮タブレット内に形成されセンサによって検出可能な孔またはリブ付き縁部を備える、請求項１に記載の気化器装置。
【請求項６】
前記気化器装置は、機械可読ラベルに基づいて、前記ホルダ内に配置されている圧縮タブレットの前記タイプを認識するように適合される、請求項２に記載の気化器装置。
【請求項７】
前記機械可読ラベルは、前記圧縮タブレット上に提供されているバーコード、ＱＲコード（登録商標）、またはＲＦＩＤタグのうちの１つ以上である、請求項６に記載の気化器装置。
【請求項８】
前記機械可読ラベルは、１つ以上の圧縮タブレットのためのパッケージ上に提供されているバーコード、ＱＲコード（登録商標）、またはＲＦＩＤタグのうちの１つ以上である、請求項６に記載の気化器装置。
【請求項９】
前記マイクロプロセッサは、前記ホルダ内に配置されている圧縮タブレットの認識された前記タイプに基づいて、ある期間にわたって温度プロファイルを設定するために前記熱源を制御するように適合される、請求項２に記載の気化器装置。
【請求項１０】
前記マイクロプロセッサは、選択されている治療化合物に基づいて、ある期間にわたって温度プロファイルを設定するために前記熱源を制御するようにさらに適合されており、選択されている前記治療化合物は、前記ホルダ内に配置されている認識された前記タイプの圧縮タブレットから放出されることが望まれる、請求項９に記載の気化器装置。
【請求項１１】
前記マイクロプロセッサは、吸入のために送達されることが望まれる所望の投与量の選択されている治療化合物に基づいて、ある期間にわたって前記空気流を制御するように適合される、請求項２に記載の気化器装置。
【請求項１２】
前記マイクロプロセッサは、前記空気流の温度を監視するための１つ以上の精密な温度センサから１つ以上の信号を受け取るように適合される、請求項１１に記載の気化器装置。
【請求項１３】
前記マイクロプロセッサは、前記空気流を作る空気ポンプの速さを調節することによって前記空気流を制御するように適合される、請求項１１に記載の気化器装置。
【請求項１４】
前記マイクロプロセッサは、前記空気流を監視するための１つ以上の精密な流れセンサから１つ以上の信号を受け取るように適合される、請求項１１に記載の気化器装置。
【請求項１５】
前記制御されている熱源により加熱するべく、前記ディスク・カートリッジ内にパッケージングされている前記複数の圧縮タブレットのうちの１つの圧縮タブレットを準備するために、前記ディスク・カートリッジを穿孔するための穿孔器をさらに備える、請求項１に記載の気化器装置。
【請求項１６】
前記マイクロプロセッサは、前記制御されている熱源により加熱するべく、前記ディスク・カートリッジ内にパッケージングされている前記複数の圧縮タブレットのうちの第１の圧縮タブレットを位置決めするために、前記カルーセルを回転させるためのモータを制御するように適合される、請求項１に記載の気化器装置。
【請求項１７】
前記マイクロプロセッサは、前記複数の圧縮タブレットのうちの前記第１の圧縮タブレットが消費されると、前記制御されている熱源により加熱するべく、前記ディスク・カートリッジ内にパッケージングされている前記複数の圧縮タブレットのうちの前記圧縮タブレットの別の第２の圧縮タブレットを位置決めするために、前記カルーセルを進めるようにさらに適合される、請求項１６に記載の気化器装置。
【請求項１８】
前記ホルダはまた、準備され測定された量のばら詰め植物源材料を保持するためのメッシュ容器またはメッシュ・バスケットを受け入れるようにさらに適合される、請求項１に記載の気化器装置。
【請求項１９】
前記マイクロプロセッサは、前記容器上または前記バスケット上に提供されている機械可読ラベルに基づいて、前記ホルダ内に配置されているばら詰め植物源材料のタイプを認識するようにさらに適合される、請求項１８に記載の気化器装置。
【請求項２０】
前記マイクロプロセッサは、前記ホルダ内に配置されているばら詰め植物源材料の認識された前記タイプに基づいて、ある期間にわたって温度プロファイルを設定するために前記熱源を制御するように適合される、請求項１９に記載の気化器装置。
【請求項２１】
前記マイクロプロセッサは、吸入のために送達されることが望まれる所望の投与量の治療化合物に基づいて、ある期間にわたって前記空気流を制御するように適合される、請求項１９に記載の気化器装置。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
ユーザの瞳孔間の瞳孔間距離を測定する方法であって、
機器のセンサによって取り込まれた画像情報を処理するステップと、
前記画像情報に基づいて、前記機器の光源の光の第１の反射および第２の反射の位置を特定するステップであって、前記第１の反射は前記ユーザの第１の瞳孔からの前記光の反射を含み、前記第２の反射は前記ユーザの第２の瞳孔からの前記光の反射を含む、ステップと、
推定距離を決定するステップであって、前記推定距離は、前記画像情報が前記センサによって取り込まれたときの前記センサと前記ユーザの瞳孔との間である、ステップと、
前記推定距離と、前記第１の反射および前記第２の反射の位置とに基づいて瞳孔間距離を決定するステップと
を含む、方法。
【請求項２】
前記画像情報は、前記ユーザの顔面上の物体の情報を含み、前記推定距離は、前記物体の１つ以上の寸法に基づいている、請求項１に記載の方法。
【請求項３】
前記物体を含む平面に直角な軸に沿って前記物体と前記瞳孔との間の軸方向オフセットを決定するステップと、前記軸方向オフセットに基づいて前記瞳孔間距離を決定するステップと、を含む、請求項２に記載の方法。
【請求項４】
前記推定距離は、前記顔面の特徴の３次元（３Ｄ）デカルト座標に基づいている、請求項２に記載の方法。
【請求項５】
前記推定距離は、前記センサを含む機器の加速度を示す加速度情報に基づいている、請求項１に記載の方法。
【請求項６】
前記第１の反射の位置と前記第２の反射の位置との間のピクセル数と、ピクセルのピクセル対ミリメートル（ｍｍ）比とに基づいて前記瞳孔間距離を決定するステップを含む、請求項１に記載の方法。
【請求項７】
前記画像情報が取り込まれたときの前記センサを含む機器の向きを示す向き情報を受信するステップと、前記向き情報に基づいて前記瞳孔間距離を決定するステップと、を含む、請求項１に記載の方法。
【請求項８】
前記向き情報は、前記センサを含む機器の傾斜角度を示す、請求項７に記載の方法。
【請求項９】
前記センサの１つ以上の属性に基づいて、前記瞳孔間距離を決定するステップを含む、請求項１に記載の方法。
【請求項１０】
前記１つ以上の属性は、前記センサのレンズの有効焦点距離（ＥＦＬ）、前記センサの水平方向視界、前記センサの垂直方向視界、前記センサの解像度、および／または前記センサの２つの隣接するピクセル間の距離のうちの少なくとも１つの属性を含む、請求項９に記載の方法。
【請求項１１】
眼球の半径パラメータ、および前記センサと前記瞳孔を含む平面との間の距離に基づいて、前記瞳孔間距離を決定するステップを含む、請求項１に記載の方法。
【請求項１２】
前記瞳孔間距離は、近い瞳孔間距離または遠い瞳孔間距離を含む、請求項１に記載の方法。
【請求項１３】
前記センサが前記画像情報を取り込むときに、前記瞳孔を照らすように光を生成するために前記機器の光源をトリガするステップを含む、請求項１に記載の方法。
【請求項１４】
前記光源は、発光ダイオード（ＬＥＤ）を含む、請求項１に記載の方法。
【請求項１５】
前記センサは、カメラのセンサを含む、請求項１に記載の方法。
【請求項１６】
少なくとも１つのコンピュータプロセッサによって実行されたときに、請求項１〜１５のいずれか一項に記載の方法を実行するように動作可能なコンピュータ実行可能命令を備える１つ以上の有形のコンピュータ可読ストレージ媒体を含む製品。
【請求項１７】
ユーザの瞳孔間の瞳孔間距離を決定するように構成された装置であって、請求項１〜１５のいずれか一項に記載の方法を実行するための手段を含む、装置。
【請求項１８】
請求項１〜１５のいずれか一項に記載の方法に従ってユーザの瞳孔間の瞳孔間距離を決定するように構成されたモバイル機器であって、
前記ユーザの瞳孔を照らすように光を生成するための光源と、
前記画像情報を取り込むためのセンサと、
前記画像情報を処理し、瞳孔間距離を決定するように構成された瞳孔間距離演算器と、を含む、モバイル機器。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
少なくとも１つの第１のウェビングと連結されるように構成及び配置された、雄接続部を含む雄バックルシステムと、
前記雄バックルシステムの前記雄接続部を選択的に収容する収容チャネルを有する雌ハウジング部材を含む、少なくとも１つの第２のウェビングと連結されるように構成及び配置された雌バックルシステムであって、前記雌ハウジング部材が、フロントプレート部と、バックプレート部と、湾曲端部とを有し、前記湾曲端部がフロントプレート部とバックプレート部との間に延び、前記フロントプレート部の少なくとも一部が前記バックプレート部上に選択された距離だけ間隔をあけて配置されることにより前記収容チャネルを画定し、前記雌ハウジング部が、前記運動チャネル部を形成する、前記バックプレート部及び前記湾曲端部に近接する凸部を更に含み、少なくとも前記フロントプレート部及び前記湾曲端部が前記収容チャネルへの接続切欠きセクションを含み、前記接続切欠きセクションが前記雄バックルシステムの前記雄接続部を収容するように形状決めされて、前記雄バックルシステムを選択的に前記雌バックルシステムと連結する、安全ハーネスコネクターアセンブリ。